(57)【要約】【課題】  ダイレクトプリントとＤＰＯＦ機能は、設定する項目（画像選択、プリント枚数、紙サイズなど）がほとんど同じであるにもかかわらず、設定メニューが別々に存在し、オペレータにとって分かりにくいユーザインタフェースとなっていた。【解決手段】  プリント指示画面を表示部に表示させる表示制御部と、外部のプリント制御装置と通信しているか否かを検出する検出部とを有し、表示制御部は、検出部の検出結果に応じて、表示部に表示させるプリント指示画面を異ならしめる。【選択図】  図１３
2005167807.tif 000002
【特許請求の範囲】
【請求項１】
撮影条件を設定するための操作部と、
前記操作部を用いてプリント指示を行う為のプリント指示画面を表示部に表示させる表示制御部と、
外部のプリント制御装置と通信しているか否かを検出する検出部とを有し、
前記表示制御部は、前記検出部が、外部のプリント制御装置と通信していないと検出した場合には、前記プリント指示画面は、プリントしようとするタイミングに先立って、予め複数の画像に対するプリント指示を行う為の画面となり、
外部のプリント制御装置と通信していないと検出した場合には、前記プリント指示画面は、プリントしようとするタイミングに先立って、予め複数の画像に対するプリント指示を行う為の画面となることを特徴とするデジタルカメラ。
【請求項２】
プリント指示画面を表示部に表示させる表示制御部と、
外部のプリント制御装置と通信しているか否かを検出する検出部とを有し、
前記表示制御部は、前記検出部の検出結果に応じて、前記表示部に表示させるプリント指示画面を異ならしめることを特徴とする画像処理装置。
【請求項３】
外部のプリント制御装置と通信していないと検出した場合には、前記プリント指示画面は、プリントしようとするタイミングに先立って、予め複数の画像に対するプリント指示を行う為の画面となることを特徴とする請求項２に記載の画像処理装置。
【請求項４】
外部のプリント制御装置と通信していると検出した場合には、前記プリント指示画面は、プリントを希望する画像を１枚選択操作する毎に、外部のプリント制御装置に画像を送出可能なプリントモードでの画面であることを特徴とする請求項２ないし３のいずれか１項に記載の画像処理装置。
【請求項５】
プリント指示画面を表示部に表示させる表示制御工程と、
外部のプリント制御装置と通信しているか否かを検出する検出工程とを有し、
前記表示制御工程は、前記検出工程の検出結果に応じて、前記表示部に表示させるプリント指示画面を異ならしめることを特徴とする画像処理装置の制御方法。
【請求項６】
外部のプリント制御装置と通信していないと検出した場合には、前記プリント指示画面は、プリントしようとするタイミングに先立って、予め複数の画像に対するプリント指示を行う為の画面となることを特徴とする請求項５に記載の画像処理装置の制御方法。
【請求項７】
外部のプリント制御装置と通信していると検出した場合には、前記プリント指示画面は、プリントを希望する画像を１枚選択操作する毎に、外部のプリント制御装置に画像を送出可能なプリントモードでの画面であることを特徴とする請求項５ないし６のいずれか１項に記載の画像処理装置の制御方法。
【請求項８】
画像処理装置に、請求項４ないし６のいずれか１項の制御方法を実行させるためのプログラム。
【請求項９】
画像処理装置に、請求項４ないし６のいずれか１項の制御方法を実行させるためのプログラムを記憶する記憶媒体。
【発明の詳細な説明】
【技術分野】
【０００１】
本発明は、パソコンなどを介することなく、デジタルカメラとプリンタを直接接続し、選択した画像ファイルを、プリンタで印刷可能なプリントシステムに利用可能な画像処理装置に関するものである。
【背景技術】
【０００２】
近年、デジタルカメラとプリンタをケーブルで直接接続し、デジタルカメラで選択した画像ファイルを、プリンタで印刷可能なプリントシステムが開発されている。デジタルカメラとプリンタをケーブルで直接接続すると、ダイレクトプリントメニューがデジタルカメラのディスプレイに表示され、プリントしたい画像の選択、プリント枚数などを設定してプリントが実行される。（特許文献１参照）
【特許文献１】特開２００３−２４４６３０号公報
【発明の開示】
【発明が解決しようとする課題】
【０００３】
一方、近年のデジタルカメラには、ＤＰＯＦ（Ｄｉｇｉｔａｌ  Ｐｒｉｎｔ  Ｏｒｄｅｒ  Ｆｏｒｍａｔ）機能が搭載されている。ＤＰＯＦ機能についての詳細説明は割愛するが、デジタルカメラなどで、プリントしたい画像、プリント枚数などを指定し、そのプリント指示情報を記載したファイル（ＤＰＯＦファイル）を、画像ファイルと同じメモリカードに保存する機能である。のちに、このＤＰＯＦファイルに記載されたプリント指示情報に基づいて、ＤＰＯＦ対応のラボやプリンタでプリントすることが可能である。
【０００４】
上記ダイレクトプリントとＤＰＯＦ機能は、設定する項目（画像選択、プリント枚数、紙サイズなど）がほとんど同じであるにもかかわらず、設定メニューが別々に存在し、オペレータにとって分かりにくいユーザインタフェースとなっていた。
【課題を解決するための手段】
【０００５】
上記課題を解決するために、プリント指示画面を表示部に表示させる表示制御部と、外部のプリント制御装置と通信しているか否かを検出する検出部とを有し、表示制御部は、検出部の検出結果に応じて、表示部に表示させるプリント指示画面を異ならしめることを特徴とする。
【発明の効果】
【０００６】
以上説明したように、本発明によれば、オペレータは統一されたユーザインタフェースを使って、ダイレクトプリントとＤＰＯＦファイル作成が可能となる。オペレータがこれから行おうとしている機能が自動的に選択されるため、分かりやすいインタフェースを提供することができる。また、別々のユーザインタフェースを用意する必要がないので、開発工数を短縮することも可能である。
【０００７】
また、プリンタに接続されているか否かによって、プリント指示画面の表示をことなら支援手いるので、異なるプリント指示形態それぞれに応じて、ユーザはプリントメニューを切替選択しなくても済み、操作が減るとともにメニュー選択ミスも防げるので、大変使いやすい。
【発明を実施するための最良の形態】
【０００８】
（実施例１）
以下、図面を参照して本発明の実施例を詳細に説明する。
【０００９】
図１は、本発明のプリントシステムを示している。デジタルカメラ１とプリンタ２がケーブル３で直接接続され、ダイレクトプリントを実現するプリントシステムである。ここでは、ケーブルで直接接続された例を示すが、コネクタなどでデジタルカメラとプリンタが合体するような形態や、無線による接続など、あらゆる形態の直接接続が本発明の範疇となる。
【００１０】
図２は、本発明のプリントシステムを実現するデジタルカメラ１とプリンタ２の内部ブロック図を概念的に示したものである。撮影機構部１２で撮影された画像データは、画像処理部１１でデータ圧縮、色処理などが行われ、表示ドライバ１３を介して表示部１４に表示したり、記録メディア１５に記録される。上記ＤＰＯＦファイルは、画像ファイルとともに、この記録メディア１５に保存される。デジタルカメラ１の操作や設定は、オペレータによってＤＳＣ操作部１６を介して行われ、外部デバイスとのデータ入出力はＤＳＣ  Ｉ／Ｆ１７を介して行われる。ＤＳＣ制御部１０は、デジタルカメラ１の上記一連の処理を制御する。
【００１１】
プリンタ制御部２０は、プリンタＩ／Ｆ２４から入力したデータを、プリンタドライバ２１を介してプリンタ機構部２２に送り、プリントを実行する。また、プリンタ制御部２０は、プリンタステータスをプリンタＩ／Ｆ２４を介して外部デバイスに出力する。プリンタ２の操作や設定は、オペレータによりプリンタ操作部２３を介して行われる。
【００１２】
図３は、デジタルカメラ１の操作部を示したものである。本発明の説明に必要な部位のみ番号を付与している。１００は表示部で、撮影した画像の再生、各種設定の確認を行う。１０１は動作切替ダイヤルで、デジタルカメラ１の動作モードを切替える。動作モードとしては、各種撮影モード、画像再生モード、外部デバイスとのインフェースモードなどがある。１０２はメニューボタンで、各動作モードに対する設定メニューを表示するボタンである。この設定メニューにおいて、十字カーソル１０４を使って設定したいメニューを選択し、セットボタン１０３を押すことによって、その選択を決定する。
【００１３】
図１３は本実施例を説明するフローチャートである。
【００１４】
図４は、動作切替ダイヤル１０１を再生モードにしたときの表示部１００の一例を示している。この時に、メニューボタン１０２を押すと（Ｓ１）、再生モードで選択可能な設定メニュー（再生メニュー）が表示される（図５）。この再生メニューにおいて、十字カーソル１０４を使って「プリント指定」を選択し（Ｓ２）、セットボタン１０３を押すと、デジタルカメラとプリンタが接続されているかを確認する（Ｓ３）。図１のようにデジタルカメラ１とプリンタ２がケーブル３で直接接続された状態であれば、図７のような「ダイレクトプリント」を選択可能なプリント指示画面となる（Ｓ７）。つまり、外部のプリント制御装置と通信していると検出した場合には、プリント指示画面は、プリントを希望する画像を１枚選択操作する毎に、外部のプリント制御装置に画像を送出可能なプリントモードでの画面となる。
【００１５】
この画面は、プリント枚数を示す枠１１０と、紙サイズを示す枠１１１と、現在表示している画像のプリント開始させる枠１１２が表示される。十字カーソル１０４を使って、プリント枚数指定（１以上で画像選択、０は画像非選択）、用紙サイズ指定を行う。上記２つの指定が終了すると、別のプリントしたい画像を再生し、同様にプリント枚数指定、用紙サイズ指定を行う。十字カーソル１０４を１１２に合わせてセットボタン１０３を押すと、ダイレクトプリンとによるプリントが開始される（Ｓ８）。
【００１６】
図７では、プリント枚数と用紙サイズを設定可能な例を示したが、別の項目を設定可能にしたり、プリント枚数設定だけを設定可能にしたりすることもできる。
【００１７】
一方、デジタルカメラ１とプリンタ２がケーブル３で直接接続されていない状態であれば、図６のような「ＤＰＯＦ」を選択可能なプリント指示確認画面になる（Ｓ４）。つまり、外部のプリント制御装置と通信していないと検出した場合には、プリント指示画面は、プリントしようとするタイミングに先立って、予め複数の画像に対するプリント指示を行う為の画面となる。
【００１８】
図６は、再生画面上にプリント枚数を示す枠１１０と、紙サイズを示す枠１１１が表示される。十字カーソル１０４を使って、プリント枚数指定（１以上で画像選択、０は画像非選択）、用紙サイズ指定を行う。上記２つの指定が終了すると、別のプリントしたい画像を再生し、同様にプリント枚数指定、用紙サイズ指定を行う。図６では、プリント枚数と用紙サイズを設定可能な例を示したが、別の項目を設定可能にしたり、プリント枚数設定だけを設定可能にすることもできる。
【００１９】
プリントしたいすべての画像の設定が終了し、メニューボタン１０２を再度押すと、図８のようなプリント指示画面が表示され（Ｓ５）、プリントに必要な用紙サイズと枚数が表示される。
【００２０】
ここでセットボタン１０３を押すことにより、ＤＰＯＦファイルが作成され、メモリーカードに記録される（Ｓ６）。ダイレクトプリントとＤＰＯＦファイル作成、それぞれ特有の設定項目がある場合は、このプリント指示確認画面以降にそれらの設定を行う。
【００２１】
図８のプリント指示画面では、「画像指定」、「指定解除」を選択することも可能である。「画像指定」は、プリント指示を編集したり、確認するときに選択する。「指定解除」は、プリント指示をすべて解除するときに選択する。
【００２２】
なお、上述の「プリント指示」メニューを１ボタンで選択するために、デジタルカメラの筐体上に、プリント用のボタンを儲けても使いやすい。この場合、このボタンを押したことに応じて表示される画面が、デジタルカメラ１とプリンタ２がケーブル３で直接接続された状態であれば、図７のような「ダイレクトプリント」を選択可能なプリント指示画面、デジタルカメラ１とプリンタ２がケーブル３で直接接続されていない状態であれば、図８のような「ＤＰＯＦ」を選択可能なプリント指示画面になるとする。
【００２３】
デジタルカメラ１とプリンタ２の直接接続を検知する手段は、接続形態によって独自規格や標準規格が種々考えられるので、本発明では規定しない。また、直接接続を検知する手段は、プリントシステム内のどこにあってもよく、通信プロトコルなどソフトウエア的な手段でもよい。さらに、本実施例では、デジタルカメラ１で各種設定、表示する例を説明したが、プリンタ２に同様な機能があれば、プリンタ２側で各種設定、表示を行うことも可能である。
【００２４】
（実施例２）
実施例１では、デジタルカメラ１とプリンタ２がケーブル３で直接接続されているときに、図７のようなプリント指示画面で「ダイレクトプリント」が選択可能であった。実施例２は、このとき、図９のようなプリント指示画面で、「ダイレクトプリント」の他に、「ＤＰＯＦ」も選択可能にした例である。ケーブル３を接続したまま、ＤＰＯＦファイル作成を行えるメリットはあるが、オペレータが「ダイレクトプリント」と「ＤＰＯＦ」を意識して選択する必要がある。デジタルカメラ１とプリンタ２がケーブル３で直接接続されていない場合は、実施例１の図８と同じく「ＤＰＯＦ」のみ選択可能なプリント指示画面になる。「ダイレクトプリント」と「ＤＰＯＦ」以外に選択可能な機能があれば、直接接続の検出結果により、その機能を選択的に表示することも可能である。
【００２５】
（実施例３）
実施例１、実施例２では、再生メニューにおいて「プリント指示」を選択し、図６のようなプリント指示画面でプリント指示を行った後に、ケーブル３が直接接続されているか否かによってプリント指示画面を切替えて表示していた。
【００２６】
実施例３では、再生メニューにおいて、「ダイレクトプリント」、「ＤＰＯＦ」を選択可能にした例である。図１０、図１１、図１２は、それぞれ、「ダイレクトプリント」のみ選択可能、「ＤＰＯＦ」のみ選択可能、「ダイレクトプリント」と「ＤＰＯＦ」のどちらか選択可能の場合を示している。図１０と図１２は、デジタルカメラ１とプリンタ２がケーブル３によって直接接続されている場合、図１１はそれらが直接接続されていない場合の再生メニュー例である。
【００２７】
（他の実施形態）
以上、実施形態例を詳述したが、本発明は、例えば、システム、装置、方法、プログラム若しくは記憶媒体等としての実施態様をとることが可能であり、具体的には、複数の機器から構成されるシステムに適用しても良いし、また、一つの機器からなる装置に適用しても良い。
【００２８】
尚、本発明は、前述した実施形態の機能を実現するソフトウェアのプログラム（実施形態では図に示すフローチャートに対応したプログラム）を、各装置に直接或いは遠隔から供給し、その装置の処理部が該供給されたプログラムコードを読み出して実行することによっても達成される場合を含む。
【００２９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００３０】
その場合、プログラムの機能を有していれば、オブジェクトコード、インタプリタにより実行されるプログラム、ＯＳに供給するスクリプトデータ等の形態であっても良い。
【００３１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００３３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００３５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００３６】
【図１】本発明のプリントシステム
【図２】プリントシステムの内部ブロック図
【図３】デジタルカメラ１の操作部
【図４】再生モード画面例
【図５】再生メニュー例１
【図６】プリント指示画面例
【図７】プリント指示画面例１
【図８】プリント指示画面例２
【図９】プリント指示画面例３
【図１０】再生メニュー例２
【図１１】再生メニュー例３
【図１２】再生メニュー例４
【図１３】実施例のデジタルカメラの動作フロー
【符号の説明】
【００３７】
１  デジタルカメラ本体
２  プリンタ本体
３  ケーブル
１０  ＤＳＣ制御部
１１  画像処理部
１２  撮像機構
１３  表示ドライバ
１４  表示部
１５  記録メディア
１６  ＤＳＣ操作部
１７  ＤＳＣ  Ｉ／Ｆ
２０  プリンタ制御部
２１  プリンタドライバ
２２  プリンタ機構
２３  プリンタ操作部
２４  プリンタＩ／Ｆ
１００  表示画面
１０１  動作モード切替ダイヤル
１０２  メニューボタン
１０３  セットボタン
１０４  十字カーソル
１１０  プリント枚数指定枠
１１１  用紙サイズ指定枠
【図１】
2005167807.tif 000003
【図２】
2005167807.tif 000004
【図３】
2005167807.tif 000005
【図４】
2005167807.tif 000006
【図５】
2005167807.tif 000007
【図６】
2005167807.tif 000008
【図７】
2005167807.tif 000009
【図８】
2005167807.tif 000010
【図９】
2005167807.tif 000011
【図１０】
2005167807.tif 000012
【図１１】
2005167807.tif 000013
【図１２】
2005167807.tif 000014
【図１３】
2005167807.tif 000015